(57)【要約】【課題】製作が容易で、反りが生じにくく、竪框と横框との接合強度が大きい框扉を提供すること。【解決手段】木製の竪框２と横框３とを備え、竪框２の内側面に、横框３の端部に形成した連結突部３ａが嵌入する嵌入孔２ｃを設けた框扉１において、竪框２の外側面に全長に亘って形成した溝部２ａに、金属製の補強部材４を取り付け、横框３との接合箇所に対応する竪框２及び補強部材４に形成した小孔６に挿通した固定部材５によって、竪框２と横框３とを接合する。【選択図】図２
2008082011.tif 000002
【特許請求の範囲】
【請求項１】
木製の竪框と横框とを備え、竪框の内側面に、横框の端部に形成した連結突部が嵌入する嵌入孔を設けた框扉において、竪框の外側面に全長に亘って形成した溝部に、金属製の補強部材を取り付け、横框との接合箇所に対応する竪框及び補強部材に形成した小孔に挿通した固定部材によって、竪框と横框とを接合したことを特徴とする框扉。
【請求項２】
補強部材が、竪框に形成した溝部に嵌る断面コ字状部と、竪框の溝部を形成する両壁面を覆う断面Ｌ字状部とを備えてなることを特徴とする請求項１記載の框扉。
【請求項３】
横框の連結突部に、断面コ字状の金属製の連結部材を配設したことを特徴とする請求項１又は２記載の框扉。
【請求項４】
連結部材の竪框との当接面に、ネジ穴を形成し、前記固定部材をネジとしたことを特徴とする請求項３記載の框扉。
【発明の詳細な説明】
【技術分野】
【０００１】
本発明は、框扉に関し、特に、製作が容易で、反りが生じにくい框扉に関するものである。
【背景技術】
【０００２】
框扉１０は、図６に示すように、左右の竪框２、２と、上框３１、下框３２及び中框３３からなる横框３とを接合し、各横框３間にガラス窓Ｗや化粧板Ｅを取り付けて構成されている。
そして、竪框２と横框３との接合は、図７に示すように、竪框２の内側面に形成した嵌合孔（ホゾ穴）２’に、横框３の端部から突出した嵌合片（ホゾ）３’を嵌合して接合するようにし、通常、嵌合孔（ホゾ穴）２’よりも嵌合片（ホゾ）３’の寸法を若干大とした締まり嵌めとする、所謂、ホゾ加工によって、竪框２と横框３とを強固に接合するようにしている。
【０００３】
しかしながら、この框扉１０の組み立てや、ホゾ加工には熟練者のノウハウが必要で、初心者では、簡単に組み立てることができないといった問題があった。
また、例えば、扉の高さが２４００ｍｍを越えるような寸法になると、框扉１０に反りが生じやすくなる。そして、框扉１０に反りが生じると、例えば、２枚の框扉１０を引き違い扉として使用する場合に框扉１０同士が接触したり、戸袋に接触することとなり、異音が生じ、また、反りの方向によっては、扉の施錠ができなくなるといった問題もあった。
【０００４】
一方、木製の框扉の反りや変形を防止するために、図８〜図９に示すように、竪框２と横框３との外面側に、金属製の外枠板２２を取り付け、框の変形を防止するようにした扉が提案されている（特許文献１参照）。
【０００５】
この框扉２０は、屋外の門扉として使用されるもので、竪框２、２と、横框３、３と、竪框及び横框の内面に嵌め込む化粧板Ｅとからなり、竪框２と横框３の外面に凹溝２１を凹設し、組み立てた竪框２、２と横框３、３との凹溝２１に断面略コ字状の金属材からなる外枠板２２を取り付けるようにしている。外枠板２２は、両側辺の内側（框側）に向かって、竪框２と横框３を挟み込む係止突部２２ａが全長に亘って突設されている。
そして、竪框２と横框３とに配設する外枠板２２は、竪框２と横框３との角部において、Ｌ型金具２３に対して、それぞれの外枠板２２をビスＢによって固定されている。
この框扉２０は、金属製の外枠板２２によって、従来の框扉と比べて強度が増し、反りを起こしにくいものの、外枠板２２は、Ｌ型金具２３を介して、竪框２と横框３との外面を覆うのみであるため、竪框２と横框３との接合強度を高める効果は小さかった。
【特許文献１】特開平５−７９２６３号公報
【発明の開示】
【発明が解決しようとする課題】
【０００６】
本発明は、上記従来の框扉が有する問題点に鑑み、製作が容易で、反りが生じにくく、竪框と横框との接合強度が大きい框扉を提供することを目的とする。
【課題を解決するための手段】
【０００７】
上記目的を達成するため、本発明の框扉は、木製の竪框と横框とを備え、竪框の内側面に、横框の端部に形成した連結突部が嵌入する嵌入孔を設けた框扉において、竪框の外側面に全長に亘って形成した溝部に、金属製の補強部材を取り付け、横框との接合箇所に対応する竪框及び補強部材に形成した小孔に挿通した固定部材によって、竪框と横框とを接合したことを特徴とする。
【０００８】
この場合において、補強部材が、竪框に形成した溝部に嵌る断面コ字状部と、竪框の溝部を形成する両壁面を覆う断面Ｌ字状部とを備えてなるようにすることができる。
【０００９】
また、横框の連結突部に、断面コ字状の金属製の連結部材を配設することができる。
【００１０】
また、連結部材の竪框との当接面に、ネジ穴を形成し、前記固定部材をネジとすることができる。
【発明の効果】
【００１１】
本発明の框扉は、竪框の外側面に全長に亘って形成した溝部に、金属製の補強部材を取り付け、横框との接合箇所に対応する竪框及び補強部材に形成した小孔に挿通した固定部材によって、竪框と横框とを接合するようにしているので、横框の連結突部と、この連結突部が嵌入する竪框の内側面に形成した嵌入孔とは、従来の框扉のようなホゾ加工は必要なく、寸法精度が高くなくても、竪框の外側面から補強部材と共にネジ等の固定部材で横框を固定することができ、簡単に框扉の製作ができるとともに、竪框に取り付けた金属製の補強部材によって反りが生じにくく、竪框と横框との接合強度が大きい框扉を提供することができる。
【００１２】
また、補強部材が、竪框に形成した溝部に嵌る断面コ字状部と、竪框の溝部を形成する両壁面を覆う断面Ｌ字状部とを備えてなるようにすることにより、竪框の外側面の溝部を形成する両壁面を、補強部材で挟み込むことができ、竪框に溝部を設けることによって生じるおそれのある両壁面の割れを防止することができる。
【００１３】
また、横框の連結突部に、断面コ字状の金属製の連結部材を配設することにより、横框の連結突部の強度を十分に確保することができる。
【００１４】
また、連結部材の竪框との当接面に、ネジ穴を形成し、前記固定部材をネジとすることにより、竪框と横框とを金属製の連結部材を介して強固に接合することができる。
【発明を実施するための最良の形態】
【００１５】
以下、本発明の框扉の実施の形態を、図面に基づいて説明する。
【実施例１】
【００１６】
図１〜図５に、本発明の框扉の一実施例を示す。
この框扉１は、２本の竪框２、２と、上框３１、下框３２及び２本の中框３３の横框３と、竪框２及び横框３間に配設したガラス窓Ｗや化粧板Ｅとから構成されている。
中框３３の本数は、ガラス窓Ｗや化粧板Ｅの配置によって異なるもので、特にその本数は限定されるものではない。
そして、この框扉１は、竪框２の外側面に、金属製の補強部材４を取り付けるための溝部２ａを全長に亘って形成し、横框３との接合箇所に対応する竪框２及び補強部材４には、固定部材５の通過を許容する小孔６を形成し、固定部材５によって、竪框２と横框３とを接合するようにしている。
なお、竪框２と横框３との接合に供される固定部材５の本数は、横框３の上下方向の寸法に応じて、１本でもよく、また、複数本の場合は、所定間隔をあけて装着される。
また、補強部材４は、竪框２に対して、例えば、図４に示すように、ビスＢ等で固定するようにしている。
【００１７】
また、竪框２の内側面には、横框３の連結突部３ａの嵌入を許容する嵌入孔２ｃを形成するが、従来のように精度の高い締まり嵌めとなるようなホゾ溝加工は必要なく、多少の誤差は許容することができる。
【００１８】
竪框２の外側面に取り付ける補強部材４は、竪框２の外側面全長に亘って形成した溝部２ａに取り付け、框扉１の反りを防止する形状であれば、特にその形状は限定されるものではないが、例えば、図４（ａ）に示すように、竪框２に形成した溝部２ａに嵌る断面コ字状部４ａを必須部分とし、断面コ字状部４ａの両端に、竪框２の溝部２ａを形成する両壁面２ｂ、２ｂを覆う断面Ｌ字状部４ｂ、４ｂが連なるような連続した形状とすることが好ましい。
これによって、両壁面２ｂ、２ｂに割れが生じることを有効に防止することができる。
【００１９】
また、竪框２の嵌入孔２ｃに嵌入する横框３の連結突部３ａには、図４（ｂ）に示すように、断面コ字状で金属製の連結部材７を蓋被するようにしている。
この連結部材７は、連結突部３ａにビスＢ等で固定し、竪框２との当接面７ａに、ネジ穴７ｂを形成するようにしている。
【００２０】
この框扉１の組み立てに際しては、まず、竪框２の外側面全長に亘って形成した溝部２ａに補強部材４を、竪框２を貫通することのない短いビスＢによって取り付ける。
次に、各横框３の連結突部３ａに、連結部材７を被せ、図４（ｂ）に示すように、側面からビスＢによって固定する。
【００２１】
そして、連結部材７を被せた上框３１、下框３２及び２本の中框３３の連結突部３ａを、１本の竪框２の内側面に形成した嵌入孔２ｃ、２ｃ、２ｃに嵌入する。
このとき、嵌入孔２ｃと連結突部３ａとは、若干の隙間が生じる程度の寸法公差で仕上げているため、その組み込みに際しては、初心者であっても容易に行うことができる。
竪框２に横框３を嵌入した状態で、固定部材５としての長ネジを竪框２の外側面から、小孔６に挿入し、補強部材４を竪框２側に押さえつけるように、連結部材７のネジ穴７ｂに螺合する。
この場合、連結部材７にネジ穴７ｂを形成し、固定部材５としてネジを使用することにより、竪框２と横框３とを連結部材７を介して強固に接合することができる。
なお、図３に示すように、固定部材５としての長ネジに、先端が尖った、所謂、タッピングネジを使用することによって、連結部材７のネジ穴７ｂを越えたネジの先端が、横框３の連結突部３ａに対してネジ穴を形成しながら進入し、強固に螺合させることができる。
【００２２】
次に、もう１本の竪框２の嵌入孔２ｃに、上框３１、下框３２及び２本の中框３３の連結突部３ａを嵌入し、固定部材５で上記と同様の方法で固定する。
【００２３】
そして、補強部材４の断面コ字状部４ａに、パッキン固定具８をビス止めし、パッキン固定具８のパッキン受け部分８ａに、パッキンＰをビス止めする。
このとき、パッキン受け部分８ａの位置に相当するパッキンＰの部分にはスリットを入れ、このスリット越しにビスＢ等の固定手段を用いてパッキンＰが上下方向にずれることがないように固定する。
【００２４】
以上、本発明の框扉について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の框扉は、製作が容易で、反りが生じにくく、竪框と横框との接合強度が大きいという特性を有していることから、製作現場に熟練者のいない現場に好適に適用することができるほか、扉高さが高く、反りが生じやすい框扉に好適に用いることができる。
【図面の簡単な説明】
【００２６】
【図１】本発明の框扉の一実施例を示す正面図である。
【図２】同框扉の図１のＸ−Ｘ断面に対応する断面図である。
【図３】同框扉の変形例の図１のＸ−Ｘ断面に対応する断面図である。
【図４】竪框及び横框の説明図で、（ａ）は竪框の一部断面図、（ｂ）は横框の一部断面図である。
【図５】補強部材に取り付けるパッキンの取り付け説明図で、（ａ）は一部断面図、（ｂ）は（ａ）のＹ−Ｙ矢視図である。
【図６】従来の框扉の正面図である。
【図７】図５のＡ部分の竪框と横框との接合構造の説明図で、（ａ）は接合前を、（ｂ）は、接合後を示す。
【図８】框の外面側に金属製の外枠板を取り付けた框扉の説明図で、（ａ）は横框の一部断面図、（ｂ）は竪框の一部断面図である。
【図９】框の外面側に金属製の外枠板を取り付けた框扉における外枠板の接合構造を示す框扉の角部分の拡大図である。
【符号の説明】
【００２７】
１    框扉
２    竪框
２ａ  溝部
２ｃ  嵌入孔
３    横框
３ａ  連結突部
４    補強部材
４ａ  断面コ字状部
４ｂ  断面Ｌ字状部
５    固定部材
６    小孔
７    連結部材
７ａ  当接面
７ｂ  ネジ穴
【図１】
2008082011.tif 000003
【図２】
2008082011.tif 000004
【図３】
2008082011.tif 000005
【図４】
2008082011.tif 000006
【図５】
2008082011.tif 000007
【図６】
2008082011.tif 000008
【図７】
2008082011.tif 000009
【図８】
2008082011.tif 000010
【図９】
2008082011.tif 000011